(57)【特許請求の範囲】
【請求項１】
下階の外壁パネルの上端面に沿って取り付けられた長尺体の下階ブラケットと、上階の外壁パネルの下端面に沿って取り付けられた長尺体の上階ブラケットと、この下階ブラケットと上階ブラケットの少なくともいずれかに取り付けられたタイト材とからなり、下階の外壁パネルの上に上階の外壁パネルが、下階ブラケットと上階ブラケットの間にタイト材を押圧した状態にして、取り付けられた外壁パネル間の水切り構造において、前記下階の外壁パネルは、フレームと、このフレームに取り付けられた外壁材とからなり、この外壁材の表面には上側縁の所定位置に底面がフレームから所定距離にある凹部が設けられ、前記下階ブラケットは、長尺体のブラケット本体と、このブラケット本体の裏面にあって下階の外壁パネルの凹部に相対する位置に設けられた所定高さの突起とからなり、下階ブラケットの突起を下階の外壁パネルの凹部の中に挿入し底面に当接させた状態にして、下階ブラケットが下階の外壁パネルに取り付けられていることを特徴とする外壁パネル間の水切り構造。
【請求項２】
フレームと、表面の上側縁の所定位置に底面がフレームから所定距離にある凹部が設けられた外壁材とからなる下階の外壁パネルに、長尺体のブラケット本体とこのブラケット本体の裏面に設けられた所定高さの突起とからなる下階ブラケットを、下階ブラケットの突起を下階の外壁パネルの凹部の中に挿入し底面に当接させて取り付けた下階の建物ユニットと、上階の外壁パネルの下端面に沿って上階ブラケットを取り付けた上階の建物ユニットとを、工場で製造し、前記下階ブラケットと上階ブラケットの少なくともいずれかにタイト材を取り付け、施工現場で、下階の建物ユニットを据え付け、この下階の建物ユニットの上に上階の建物ユニットを、下階ブラケットと上階ブラケットでタイト材を押圧させながら据え付けることを特徴とする外壁パネル間の水切り構造の施工方法。
【請求項３】
下階の外壁パネルの上端面に沿って取り付けられた長尺体の下階ブラケットと、上階の外壁パネルの下端面に沿って取り付けられた長尺体の上階ブラケットと、この下階ブラケットと上階ブラケットの少なくともいずれかに取り付けられたタイト材とからなり、下階の外壁パネルの上に上階の外壁パネルが、下階ブラケットと上階ブラケットの間にタイト材を押圧した状態にして、取り付けられた外壁パネル間の水切り構造において、前記下階の外壁パネルは、フレームと、このフレームの上側縁が顕れる状態に取り付けられた外壁材とからなり、前記下階ブラケットは、屋内側にフレームの顕れている部分に当接されるフレーム当接面を有する長尺体であり、下階ブラケットのフレーム当接面を下階の外壁パネルのフレームに当接させた状態にして、下階ブラケットが下階の外壁パネルに取り付けられていることを特徴とする外壁パネル間の水切り構造。
【請求項４】
フレームとこのフレームの上側縁が顕れる状態に取り付けられた外壁材とからなる下階の外壁パネルに長尺体の下階ブラケットを、下階ブラケットのフレーム当接面を下階の外壁パネルの顕れているフレームに当接させて取り付けた下階の建物ユニットと、上階の外壁パネルの下端面に沿って上階ブラケットを取り付けた上階の建物ユニットとを、工場で製造し、前記下階ブラケットと上階ブラケットの少なくともいずれかにタイト材を取り付け、施工現場で、下階の建物ユニットを据え付け、この下階の建物ユニットの上に上階の建物ユニットを、下階ブラケットと上階ブラケットでタイト材を押圧させながら据え付けることを特徴とする外壁パネル間の水切り構造の施工方法。
【発明の詳細な説明】
【０００１】
【発明の属する技術分野】
本発明は外壁パネル間の水切り構造とその施工方法に関する。
特に、ユニット建物に好適な外壁パネル間の水切り構造とその施工方法に関する。
【０００２】
【従来の技術】
ユニット建物は、特公昭６２−６２２２４号公報に記載あるように、運搬可能な一定の大きさの箱形の、且つ、内部、外部の仕上げられた建物ユニットを、予め、工場で製造し、この建物ユニットの複数個を施工現場に運搬し、施工現場で組み立てて建物となすものであって、現場施工期間が短く、且つ、寸法精度の良い標準化された建物となる特徴があることから、近年、広く採用されている。
【０００３】
このユニット建物に好適な外壁パネル間の水切り構造とその施工方法としては、特開平８−１０５１２５号公報に記載あるように、下階の外壁パネルの上端面に沿って取り付けられた下階ブラケットと、上階の外壁パネルの下端面に沿って取り付けられた上階ブラケットと、この下階ブラケットと上階ブラケットの少なくともいずれかに取り付けられたタイト材とからなり、下階の外壁パネルの上に上階の外壁パネルが、下階ブラケットと上階ブラケットの間にタイト材を押圧した状態にして、取り付けられた外壁パネル間の水切り構造とその施工方法が知られている。
【０００４】
そして、この公報にも記載あるように、上階の外壁パネルの屋外面を落下した雨水が、上階ブラケットからタイト材、下階ブラケットを経て下階の外壁パネルの屋外面に流れ落ちるように、上階ブラケットは上階の外壁パネルの屋内側の適宜場所に取り付けられ、下階ブラケットは下階外壁パネルの屋外面に取り付けられている。
【０００５】
この外壁パネル間の水切り構造は、工場で下階ブラケットを取り付けた下階の建物ユニットと上階ブラケットを取り付けた上階の建物ユニットを製造し、施工現場では、下階の建物ユニットの上に上階の建物ユニットを、下階ブラケットと上階ブラケットでタイト材を押圧させながら、据え付けるだけで完成するので、現場施工工数が少なくユニット建物に極めて好適なものである。
【０００６】
【発明が解決しようとする課題】
しかし、外壁パネルの屋外面は、外観をよくするために、凹凸模様が設けられている。特に、最近では、この凹凸を大きくした彫りの深い模様が好まれている。
このように凹凸模様が設けられている外壁パネルの屋外面に下階ブラケットを取り付けると、下階ブラケットの位置が一定にならない。即ち、下階ブラケットを外壁パネルの凸部に取り付けると、下階ブラケットは屋外方向に突出した状態に取り付けられるし、外壁パネルの凹部に取り付けると、屋内方向に引っ込んだ状態に取り付けられる。
【０００７】
そして、このように下階ブラケットの位置が一定にならないと、上階ブラケットと下階ブラケットとが相対しなくなる場合がある。この上階ブラケットと下階ブラケットが相対しない場合には、上階ブラケットと下階ブラケットとでタイト材を押圧できなくなり、この部分の水密性が劣る。すると、この部分から雨水が漏れるという問題が発生する。
そこで、本発明の目的は、外壁パネルの屋外面に凹凸があっても上階ブラケットと下階ブラケットとでタイト材を確実に押圧できる外壁パネル間の水切り構造とその施工方法を提供することである。
【０００８】
【課題を解決するための手段】
本発明は、上記目的を達成するためになされたものであって、請求項１記載の発明は、下階の外壁パネルの上端面に沿って取り付けられた長尺体の下階ブラケットと、上階の外壁パネルの下端面に沿って取り付けられた長尺体の上階ブラケットと、この下階ブラケットと上階ブラケットの少なくともいずれかに取り付けられたタイト材とからなり、下階の外壁パネルの上に上階の外壁パネルが、下階ブラケットと上階ブラケットの間にタイト材を押圧した状態にして、取り付けられた外壁パネル間の水切り構造において、前記下階の外壁パネルは、フレームと、このフレームに取り付けられた外壁材とからなり、この外壁材の表面には上側縁の所定位置に底面がフレームから所定距離にある凹部が設けられ、前記下階ブラケットは、長尺体のブラケット本体と、このブラケット本体の裏面にあって下階の外壁パネルの凹部に相対する位置に設けられた所定高さの突起とからなり、下階ブラケットの突起を下階の外壁パネルの凹部の中に挿入し底面に当接させた状態にして、下階ブラケットが下階の外壁パネルに取り付けられているものである。
【０００９】
請求項２記載の発明は、フレームと、表面の上側縁の所定位置に底面がフレームから所定距離にある凹部が設けられた外壁材とからなる下階の外壁パネルに、長尺体のブラケット本体とこのブラケット本体の裏面に設けられた所定高さの突起とからなる下階ブラケットを、下階ブラケットの突起を下階の外壁パネルの凹部の中に挿入し底面に当接させて取り付けた下階の建物ユニットと、上階の外壁パネルの下端面に沿って上階ブラケットを取り付けた上階の建物ユニットとを、工場で製造し、前記下階ブラケットと上階ブラケットの少なくともいずれかにタイト材を取り付け、施工現場で、下階の建物ユニットを据え付け、この下階の建物ユニットの上に上階の建物ユニットを、下階ブラケットと上階ブラケットでタイト材を押圧させながら据え付けるものである。
【００１０】
請求項３記載の発明は、下階の外壁パネルの上端面に沿って取り付けられた長尺体の下階ブラケットと、上階の外壁パネルの下端面に沿って取り付けられた長尺体の上階ブラケットと、この下階ブラケットと上階ブラケットの少なくともいずれかに取り付けられたタイト材とからなり、下階の外壁パネルの上に上階の外壁パネルが、下階ブラケットと上階ブラケットの間にタイト材を押圧した状態にして、取り付けられた外壁パネル間の水切り構造において、前記下階の外壁パネルは、フレームと、このフレームの上側縁が顕れる状態に取り付けられた外壁材とからなり、前記下階ブラケットは、屋内側にフレームの顕れている部分に当接されるフレーム当接面を有する長尺体であり、下階ブラケットのフレーム当接面を下階の外壁パネルのフレームに当接させた状態にして、下階ブラケットが下階の外壁パネルに取り付けられているものである。
【００１１】
請求項４記載の発明は、フレームとこのフレームの上側縁が顕れる状態に取り付けられた外壁材とからなる下階の外壁パネルに長尺体の下階ブラケットを、下階ブラケットのフレーム当接面を下階の外壁パネルの顕れているフレームに当接させて取り付けた下階の建物ユニットと、上階の外壁パネルの下端面に沿って上階ブラケットを取り付けた上階の建物ユニットとを、工場で製造し、前記下階ブラケットと上階ブラケットの少なくともいずれかにタイト材を取り付け、施工現場で、下階の建物ユニットを据え付け、この下階の建物ユニットの上に上階の建物ユニットを、下階ブラケットと上階ブラケットでタイト材を押圧させながら据え付けるものである。
【００１２】
本発明におけるタイト材とは、下階ブラケットと上階ブラケットで押圧したときに、この下階ブラケットと上階ブラケットの間が水密になるものをいい、ゴム弾性を有するものや綿のようなものでもよいが、ゴム弾性を有するものをチューブ状に成形したものが、押圧したときに大きく変形し、しかも、弾性により元の形状に戻ろうとして、下階ブラケットと上階ブラケットを強く押圧し、この部分が水密になるので、下階ブラケットと上階ブラケットの距離に多少の誤差があってもこの部分が水密になるので好ましい。
【００１３】
本発明における上階ブラケットや下階ブラケットの長さは、建物ユニットの横幅とほぼ同じであると、これを建物ユニットに取り付けたときに、継ぎ目がなくなり、継ぎ目から雨水が漏れる心配がなくなるので好ましい。
【００１４】
請求項２記載の発明および請求項４記載の発明では、下階ブラケットと上階ブラケットの少なくともいずれかにタイト材を取り付けているが、このタイト材の取付は、下階建物ユニットの上に上階建物ユニットを据え付ける前であればいつでもよい。例えば、工場で取り付けていてもよいし、施工現場で取り付けてもよい。又、下階ブラケットや上階ブラケットに予め取り付けられていてもよい。
【００１５】
（作用）
請求項１記載の発明では、下階の外壁パネルは、フレームと、このフレームに取り付けられた外壁材とからなり、この外壁材の表面には上側縁の所定位置に底面がフレームから所定距離にある凹部が設けられているし、下階ブラケットは、長尺体のブラケット本体と、このブラケット本体の裏面にあって下階外壁パネルの凹部に相対する位置に設けられた所定高さの突起とからなるから、下階ブラケットの突起を下階の外壁パネルの凹部の中に挿入し底面に当接させた状態にして、下階ブラケットが下階の外壁パネルに取り付けられていると、下階ブラケットのブラケット本体はフレームから外壁材の凹部の底面までの距離とブラケットの突起の高さを加えた距離に、即ち、所定距離の位置に取り付けられる。
【００１６】
又、請求項１記載の発明における上階ブラケットは、従来と同じように、外壁材の内側の適宜位置に、例えば、フレーム屋内側面に取り付けることができるので、下階ブラケットに相対する位置に上階ブラケットを取り付けることができる。
そして、この下階ブラケットと上階ブラケットの少なくともいずれかにタイト材が取り付けられている。
このように、この下階ブラケットと上階ブラケットとが、外壁材の凹凸と関係なく、相対する位置に取り付けることができ、このどちからにタイト材が取り付けられているので、この下階ブラケットと上階ブラケットとで確実にタイト材が押圧された状態にして、下階の外壁パネルの上に上階の外壁パネルが取り付けられる。
【００１７】
このような構造になっているので、上階の外壁パネルの屋外面に降り注いだ雨水は上階ブラケットからタイト材、外壁材に取り付けられている下階ブラケットを経て下階の外壁パネルの屋外面に流れて行き、屋内側に入らない。
【００１８】
請求項２記載の発明では、下階の外壁パネルは、フレームと、表面の上側縁の所定位置に底面がフレームから所定距離にある凹部が設けられた外壁材とからなるし、下階ブラケットは、長尺体のブラケット本体とこのブラケット本体の裏面に設けられた所定高さの突起とからなるから、下階の外壁パネルに下階ブラケットを下階ブラケットの突起を下階の外壁パネルの凹部の中に挿入し底面に当接させて取り付けると、下階ブラケットのブラケット本体はフレームから外壁材の凹部の底面までの距離と下階ブラケットの突起の高さを加えた距離に、即ち、所定距離の位置に取り付けられる。
【００１９】
又、請求項２記載の発明では、上階ブラケットを上階の外壁パネルの下端面に沿って取り付ける。即ち、この上階ブラケットは従来と同様に上階の外壁パネルの適宜位置に、例えば、フレームの屋内側面に取り付けることができるので、下階外壁パネルのフレームから所定距離の位置に取り付けるられている下階ブラケットに相対する位置に上階ブラケットを取り付けることができる。
【００２０】
そして、この下階ブラケットと上階ブラケットの少なくともいずれかにタイト材を取り付けている。
このように、この下階ブラケットと上階ブラケットとが、外壁材の凹凸と関係なく、相対する位置に取り付けることができ、このどちからにタイト材が取り付けられているので、この下階ブラケットと上階ブラケットとで確実にタイト材が押圧された状態にして、下階の外壁パネルの上に上階の外壁パネルが取り付けられる。
【００２１】
従って、施工現場で、下階の建物ユニットを据え付け、この下階の建物ユニットの上に上階の建物ユニットを、下階ブラケットと上階ブラケットでタイト材を確実に押圧させながら据え付けることができる。
このようにして据え付けると、上階の外壁パネルの屋外面に降り注いだ雨水は上階ブラケットからタイト材、外壁材に取り付けられている下階ブラケットを経て下階の外壁パネルの屋外面に流れて行き、屋内側に入らない。
【００２２】
請求項３記載の発明では、下階の外壁パネルは、フレームと、このフレームの上側縁が顕れる状態に取り付けられた外壁材とからなり、前記下階ブラケットは、屋内側にフレームの顕れている部分に当接されるフレーム当接面を有する長尺体であるから、下階ブラケットのフレーム当接面を下階の外壁パネルのフレームに当接した状態にして、下階ブラケットが下階の外壁パネルに取り付けられていると、下階ブラケットはフレームに、即ち、フレームからほぼ０ｍｍの所定距離の位置に取り付けられる。
【００２３】
又、請求項３記載の発明における上階ブラケットは、従来と同じように、外壁材の内側の適宜位置に、例えば、フレーム屋内側面に取り付けることができるので、下階ブラケットに相対する位置に上階ブラケットを取り付けることができる。
そして、この下階ブラケットと上階ブラケットの少なくともいずれかにタイト材が取り付けられている。
【００２４】
このように、下階ブラケットと上階ブラケットとを、外壁材の凹凸と関係なく、相対する位置に取り付けることができ、この下階ブラケットと上階ブラケットのどちらかにタイト材が取り付けられているので、この下階ブラケットと上階ブラケットとで確実にタイト材を押圧できる。
このような構造になっているので、上階の外壁パネルの屋外面に降り注いだ雨水は上階ブラケットからタイト材、外壁材に取り付けられている下階ブラケットを経て下階の外壁パネルの屋外面に流れて行き、屋内側に入らない。
【００２５】
請求項４記載の発明では、下階の外壁パネルはフレームとこのフレームの上側縁が顕れる状態に取り付けられているから、下階の外壁パネルに下階ブラケットを、下階ブラケットのフレーム当接面を下階の外壁パネルの顕れているフレームに当接させて取り付けると、下階ブラケットは下階の外壁パネルの顕れているフレームに、即ち、フレームからほぼ０ｍｍの所定距離の位置に取り付けられる。
【００２６】
又、請求項４記載の発明では、上階ブラケットを上階の外壁パネルの下端面に沿って取り付ける。即ち、この上階ブラケットは従来と同様に上階の外壁パネルの適宜位置に、例えば、フレーム屋内側面に取り付けることができるので、下階ブラケットに相対する位置に上階ブラケットを取り付けることができる。
そして、この下階ブラケットと上階ブラケットの少なくとも何れかにタイト材を取り付ける。
【００２７】
このように、この下階ブラケットと上階ブラケットとを、外壁材の凹凸と関係なく、相対する位置に取り付けることができ、この下階ブラケットと上階ブラケットのどちらかにタイト材を取り付けているので、この下階ブラケットと上階ブラケットとで確実にタイト材を押圧できる。
従って、施工現場で、下階の建物ユニットを据え付け、この下階の建物ユニットの上に上階の建物ユニットを、フレームから所定距離の位置に取り付けられている下階ブラケットと上階ブラケットでタイト材を確実に押圧させながら据え付けることができる。
【００２８】
このようにして据え付けると、上階の外壁パネルの屋外面に降り注いだ雨水は上階ブラケットからタイト材、外壁材に取り付けられている下階ブラケットを経て下階の外壁パネルの屋外面に流れて行き、屋内側に入らない。
【００２９】
【発明の実施の形態】
次に、本発明の実施例を説明する。
（実施例１）
図１〜図５は本発明の一実施例を示すもので、図１（イ）はユニット建物を示す説明図、（ロ）は（イ）のＡ−Ａ線における断面図、図２は建物ユニットの骨格を示す説明図、図３（イ）はタイト材付き下階ブラケットに水切り取付具を取り付けた状態の正面図、（ロ）は（イ）の側面図、図４（イ）は中央部の外壁パネルの正面図、（ロ）は（イ）の裏面図、（ハ）は（イ）のＢ−Ｂ線における断面図、図５（イ）は連結部の外壁パネルの正面図、（ロ）は（イ）の裏面図、（ハ）は（イ）のＣ−Ｃ線における断面図である。
【００３０】
図１〜図５において、１はユニット建物であり、このユニット建物１は基礎９の上に４個の１階の建物ユニット２が据え付けられ、この上に４個の２階の建物ユニット２が据え付けられ、この上に屋根パネル３が取り付けられて組み立てられたものである。
【００３１】
建物ユニット２は、図２に示すように、方形の四隅に立設された４本の鋼製の四角筒の柱２１と、この４本の柱２１の下端部を方形の辺に沿って連結する４本の断面コ字形の鋼製長尺体の床梁２２と、４本の柱２１の上端部を方形の辺に沿って連結する４本の断面コ字形の鋼製長尺体の天井梁２３とからなる。
【００３２】
そして、相対する床梁２２に断面ロ字形の筒状の鋼製長尺体の床小梁２５が差し渡されて取り付けられ、この床小梁２５の上に断面四角形の木製長尺体の床根太２６が取り付けられ、この床根太２６の上面に図示しないパーチクルボードの床材が取り付けられて床が形成されている。又、相対する天井梁２３に木製の天井野縁２７が差し渡されて取り付けられ、この天井野縁２７の下面に図示しない石膏ボードの天井材が取り付けられて天井が形成されている。
【００３３】
外壁パネル４を取り付ける場所には、天井梁２３と床梁２２に間柱２９が差し渡されて立設されている。
建物ユニット２の大きさは縦方向２４６４ｍｍ、横方向３８４０ｍｍ、高さ方向２８３０ｍｍである。
そして、間柱２９は建物のモジュールピッチ（この実施例ではほぼ９００ｍｍピッチ）に取り付けられている。
【００３４】
横方向に間柱２９が取り付けられている状態を具体的に説明すると、柱２１からほぼ１２０ｍｍ離れた位置に間柱２９が２本取り付けられ、この両側の間柱２９の間にほぼ９００ｍｍピッチに間柱２９が３本設けられている。
外壁パネル４は中央部に取り付けられる外壁パネル４−１と、隣接する建物ユニット間の連結部に取り付けられる外壁パネル４−２の２種類ある。
そして、中央部の外壁パネルのみを示すときには−１を付して示し、連結部の外壁パネルのみを示すときには−２を付して示す。
【００３５】
中央部の外壁パネル４−１は、図４に示すように、横方向８８７ｍｍ、縦方向２７６６ｍｍに枠組された断面ロ字形の鋼製筒状体の枠フレームと、この間にほぼ水平に差し渡された補強フレームからなるフレーム４１−１と、この屋外側に取り付けられた横方向８９１ｍｍ、縦方向２７９９ｍｍの硬質木片セメント板の外壁材４２−１とからなり、外壁材４２−１の上からほぼ１ｍｍ下がった位置にフレーム４１−１が取り付けられている。従って、外壁材４２の下側はフレーム４１−１からほぼ３２ｍｍだけ突出している。
【００３６】
そして、この外壁材４２−１の表面には図示しない彫りの深い凹凸模様が設けられ、中央には縦方向に幅ほぼ２８ｍｍの溝からなる凹部４３が設けられている。この凹部４３の底面は平滑面であり、屋内側面（フレームと当接面）からほぼ１２ｍｍ離れた位置に設けられている。
【００３７】
連結部に取り付けられる外壁パネル４−２は、図５に示すように、幅ほぼ４３７ｍｍ、高さほぼ２７６６ｍｍに枠組された断面ロ字形の鋼製筒状体の枠フレームと、この間にほぼ水平に差し渡された補強フレームからなるフレーム４１−２と、この屋外側に取り付けられた横方向４４１ｍｍ、縦方向２７９９ｍｍの硬質木片セメント板の外壁材４２−２とからなり、外壁材４２−２の上からほぼ１ｍｍ下がった位置にフレーム４１−２が取り付けられている。従って、外壁材４２−２の下側はフレーム４１−２からほぼ３２ｍｍだけ突出している。
この外壁パネル４−２には溝がない。
【００３８】
そして、外壁パネル４−１は工場で建物ユニット２の間柱２９に取り付けられるが、外壁パネル４−２は施工現場で、建物ユニット２が据え付けられた後に、建物ユニット２と隣の建物ユニット２に差し渡されて間柱２９に取り付けられる。
又、この外壁パネル２は間柱２９に、隣の外壁パネル２との間にほぼ１８ｍｍの隙間を設けて取り付けられ、このほぼ１８ｍｍの隙間には図示しないガスケットが挿入されて、この部分が水密になっている。
従って、中央部分の外壁パネル２−１の凹部４３−１はほぼ９００ｍｍピッチに設けられている。
【００３９】
５は上階ブラケットであり、この上階ブラケット５は、図１（ロ）に示すように、下側にタイト材を押さえる断面弧状のタイト押さえ５１が設けられ、上部に２階の外壁パネル４のフレーム４１に当接する断面Ｌ字形のフレーム当接部５２が設けられている。
この上階ブラケット５は、フレーム当接部５２の縦片を２階の建物ユニット２の外壁パネル４のフレーム４１と間柱２９の間に挿入し、フレーム当接部５２をフレーム４１に当接させて取り付けられている。
【００４０】
６は下階ブラケットであり、この下階ブラケット６は、図３に示すように、ブラケット本体６１と突起６２とからなる。ブラケット本体６１は長さがほぼ３４２０ｍｍの長尺体であり、１階の外壁パネル４の表面から外壁パネルの上端面を経てフレーム４１に到る断面Ｌ字形の外壁押さえ部６３と上方に突出し、その先端に上方に開口したＣ字形のタイト接続部６４と、このタイト接続部６４の先端部下方に突出している脚部６５とからなる。
【００４１】
突起６２は外壁押さえ部６３から屋内方向に所定高さに突出したものである。
この突起６２は下階外壁パネル４の凹部４３に相対する位置に設けられている。即ち、ほぼ９００ｍｍピッチに設けられている。
【００４２】
従って、この突起６２を１階の外壁パネル４の凹部４３の底面に当接させて下階ブラケット６を取り付けると、この下階ブラケット６のブラケット本体６１がフレーム４１から、フレーム４１から凹部４３の底面までの距離（ほぼ１２ｍｍ）と突起６２の高さを加えた所定距離離れた位置に取り付けられるようになっている。
更に、タイト接続部６４の下面にはポリウレタン樹脂発泡体にタールを含浸させたシール材６６が貼り付けられている。
【００４３】
７はタイト材であり、このタイト材７は合成ゴムを中空に成形した長さほぼ３２４０ｍｍの長尺体の本体７１と下階ブラケット６のタイト接続部６２に嵌合される連結部７２とからなる。
そして、この連結部７２がタイト接続部６２の中に嵌合されてタイト材７が下階ブラケット６に取り付けられている。
【００４４】
８は水切り取付具であり、８５は水切り取付具８に取り付けられる水切りである。
水切り取付具８は下階ブラケット６の沿う形状のブラケット取付部８１と、この取付部８１から上下に突出した水切り８５を取り付ける水切り係止爪８２、８２からなる小片であり、図５に示すように、下階ブラケット６の所々に取り付けられている。
【００４５】
水切り８５は、図１（ロ）に示すように、２階の外壁パネル４と１階の外壁パネル４の隙間を覆う水切り本体８６と、水切り取付け具８の水切り係止爪８２、８２に係止される係止部８７とからなる長尺体である。
そして、水切り８５は下階ブラケット６の所々に取り付けられている水切り取付具８に差し渡され、係止部８７を係止爪８２に引っ掛けて係止されて、取り付けられている。
【００４６】
屋根パネル３についての説明を省略する。
９は基礎である。
【００４７】
次に、このユニット建物１の施工方法を説明する。
工場で、図２に示す建物ユニット２の骨格を製造し、床梁２２と天井梁２３に間柱２９を差し渡して立設し、この間柱２９に中央部の外壁パネル４−１を取り付ける。
【００４８】
次に、この外壁パネル４−１の上端面に沿って、タイト材７が取り付けられている下階ブラケット６を、突起６４を外壁パネル４−１の凹部４３の中に挿入し、突起６４の先端を凹部４３の底面に当接させながら押し付け、この上から水切り取付具８を押し付け、この水切り取付具８の上からビス９５を、下階ブラケット６、外壁材４２−１を通してフレーム４１−１に螺入して、外壁パネル４に下階ブラケット６と水切り取付具８を取り付ける。更に、天井材を取り付けたり、床材を取り付けたりして、１階の建物ユニット２を製造する。
【００４９】
又、建物ユニット２の骨格を製造し、床梁２２と天井梁２３に間柱２９を差し渡して立設し、この間柱２９に中央部の外壁パネル４−１を取り付ける。
次に、この外壁パネル４−１の下端面に沿って、上階ブラケット５を、フレーム当接部４２の縦片を２階の建物ユニット２の外壁パネル４のフレーム４１と間柱２９の間に挿入して、フレーム当接部４２でフレーム４１に当接させて取り付ける。更に、天井材を取り付けたり、床材を取り付けて、２階建物ユニット２を製造する。
その他、屋根ユニット３等を製造する。
【００５０】
このようにして製造した４個の１階建物ユニット２、４個の２階建物ユニット２、屋根ユニット３等を施工現場に運搬する。
施工現場では、予め、設けている基礎９の上に１階の建物ユニット２を据え付け、この上に２階の建物ユニット２を、下階ブラケット６と上階ブラケット５でタイト材７を押圧させながら据え付ける。
【００５１】
すると、１階ブラケット６のブラケット本体６１はフレーム４１から外壁材４２の凹部の底面までの距離と下階ブラケット６の突起６２の高さを加えた距離に、即ち、所定距離の位置に取り付けられているし、上階ブラケット５は下階ブラケット６に相対する位置に上階ブラケット５が取り付けられている。
そして、下階ブラケット６にはタイト材７が取り付けられている。
従って、施工現場で、１階の建物ユニット２を据え付け、この１階の建物ユニット２の上に２階の建物ユニット２を据え付けると、下階ブラケット６と下階ブラケット５でタイト材７を確実に押圧させることができる。
【００５２】
次に、建物ユニット２と隣の建物ユニット２の間に連結部の外壁パネル４−２を取り付けたり、水切り８５を下階ブラケット６の所々に取り付けられている水切り取付具８に差し渡し、係止部８７を係止爪８２に引っ掛けて係止して、取り付ける。
更に、屋根ユニット３を据付けたり、仕上げを行うとユニット建物１が完成する。
【００５３】
このようにして据え付けると、下階ブラケット６と上階ブラケット５でタイト材７が押圧されているので、２階の外壁パネル６の屋外面に降り注いだ雨水は上階ブラケット５からタイト材７、外壁材６２に取り付けられている下階ブラケット６を経て１階の外壁パネル２の屋外面に流れて行き、屋内側に入らないので安心である。
【００５４】
（実施例２）
図６は本発明の他の実施例を示すもので、ユニット建物の２階の建物ユニットと１階の建物ユニットの連結部の断面図である。
【００５５】
図６に示す実施例２を図１〜図５に示す実施例１と比較すると、水切り取付具８ａがブラケット側取付具８ａ−１と水切り側取付具８ａ−２の２個で構成されていることが異なる。
【００５６】
そして、ブラケット側取付具８ａ−１と水切り側取付具８ａ−２とはビス９６ａで、又、水切側取付具８ａ−２と水切り８５ａとはビス９７ａで連結されている。
このように、ビス９６ａ、９７ａで連結されているので水切り８５ａが強固に取り付けられ、外れることがない。
その他の構造、施工方法および作用は実施例１と同じであるので、説明を省略する。
【００５７】
（実施例３）
図７および図８は本発明の別の実施例を示すもので、図７はユニット建物の２階の建物ユニットと１階の建物ユニットの連結部の断面図、図８（イ）は中央部の１階の外壁パネルの正面図、（ロ）は（イ）の側面図、（ハ）は（イ）のＤ−Ｄ線における断面図である。
【００５８】
図７および図８に示す実施例３を図１〜図５に示す実施例１と比較すると、１階の外壁パネル４ｂ、下階ブラケット６ｂ、水切り取付具８ｂが異なる。
従って、この異なる部分のみを説明し、その他は実施例１と同じであるので、説明を省略する。
【００５９】
中央部の１階の外壁パネル４ｂ−１は外壁材４２ｂ−１がほぼ１７ｍｍ短い。そして、上側フレーム４１ｂ−１の上側をほぼ１６ｍｍ顕わした状態に取り付けられている。又、この外壁材４２ｂ−１には凹部が設けられてない。
１階の外壁パネル４ｂ−１のその他の構造は同じである。
連結部の１階外壁パネルは幅が異なるだけでその他は同様であるから説明を省略する。
【００６０】
６ｂは下階ブラケットであり、この下階ブラケット６ｂは、長さがほぼ３４２０ｍｍの長尺体であり、１階の外壁パネル４ｂの表面から外壁パネル４ｂの上端面を経てフレーム４１ｂに到る断面Ｌ字形の外壁押さえ部６３ｂと上方に突出し、その先端に上方に開口したＣ字形のタイト接続部６４ｂと、このタイト接続部６４ｂの先端部下方に突出している脚部６５ｂとからなる。
【００６１】
従って、１階の外壁パネル４ｂに下階ブラケット６ｂを取り付けると、この下階ブラケット６ｂがフレーム４１ｂからほぼ０ｍｍの位置（所定距離離れた位置）に取り付けられるようになっている。
更に、タイト接続部６４ｂの下面にはポリウレタン樹脂発泡体にタールを含浸させたシール材６６ｂが貼り付けられている。
【００６２】
８ｂは水切り取付具であり、８５ｂは水切り取付具８ｂに取り付けられる水切りである。
水切り取付具８ｂは下階ブラケット６ｂの沿う形状のブラケット取付部８１ｂと、この取付部８１ｂから上下に突出した水切り８５ｂを取り付ける水切り係止爪８２ｂ、８２ｂからなる小片であり、下階ブラケット６ｂの所々に取り付けられている。
【００６３】
水切り８５ｂは、２階の外壁パネル４ｂと１階の外壁パネル４ｂの隙間を覆う水切り本体８６ｂと、水切り取付け具８ｂの水切り係止爪８２ｂ、８２ｂに係止される係止部８７ｂとからなる長尺体である。
そして、水切り８５ｂは下階ブラケット６ｂの所々に取り付けられている水切り取付具８ｂに差し渡され、係止部８７ｂを係止爪８２ｂに引っ掛けて係止されて、取り付けられている。
【００６４】
施工方法は図１〜図５に示す実施例１と同様であるので説明を省略する。
【００６５】
この実施例３では、１階の外壁パネル４ｂはフレーム４１ｂの上側縁が顕れる状態に外壁材４２ｂが取り付けられていて、この顕れているフレーム４１ｂに下階ブラケット６ｂが取り付けられているから、この下側ブラケット６ｂはフレーム４１ｂからほぼ０ｍｍの所定位置に取り付けられている。
又、２階ブラケット５ｂは従来と同様に上階の外壁パネル６ｂの適宜位置に、例えば、フレーム４１ｂの屋内側面に取り付けることができるので、下階ブラケット６ｂに相対する位置に２階ブラケット５ｂを取り付けることができる。
【００６６】
そして、下階ブラケット６ｂにタイト材７ｂが取り付けられている。
従って、施工現場で、１階の建物ユニット２ｂを据え付け、この１階の建物ユニット２ｂの上に２階の建物ユニット２ｂを、フレーム４１ｂから所定距離の位置に取り付けられている下階ブラケット６ｂと上階ブラケット５ｂでタイト材７ｂを確実に押圧させながら据え付けることができる。
【００６７】
このようにして据え付けると、２階の外壁パネル６ｂの屋外面に降り注いだ雨水は上階ブラケット５ｂからタイト材７ｂ、外壁材６２ｂに取り付けられている下階ブラケット６ｂを経て１階の外壁パネル２ｂの屋外面に流れて行き、屋内側に入らないので安心である。
【００６８】
（実施例４）
図９は本発明の更に別の実施例を示すもので、ユニット建物の２階の建物ユニットと１階の建物ユニットの連結部の断面図である。
【００６９】
図９に示す実施例４を図７および図８に示す実施例３と比較すると、水切り取付具８ｃがブラケット側取付具８ｃ−１と水切り側取付具８ｃ−２の２個で構成されていることが異なる。
そして、ブラケット側取付具８ｃ−１と水切り側取付具８ｃ−２とはビス９６ｃで、又、水切側取付具８ｃ−２と水切り８５ｃとはビス９７ｃで連結されている。
【００７０】
このように、ビス９６ｃ、９７ｃで連結されているので水切り８５ｃが強固に取り付けられ、外れることがない。
その他の構造、施工方法および作用は実施例３と同じであるので、説明を省略する。
【００７１】
【発明の効果】
請求項１記載の発明では、下階の外壁パネルは、フレームと、このフレームに取り付けられた外壁材とからなり、この外壁材の表面には上側縁の所定位置に底面がフレームから所定距離にある凹部が設けられているし、下階ブラケットは、ブラケット本体と、このブラケット本体の裏面にあって下階の外壁パネルの凹部に相対する位置に設けられた所定高さの突起とからなるから、下階ブラケットはフレームから外壁材の凹部の底面までの距離とブラケットの突起の高さを加えた距離に、即ち、所定距離の位置に取り付けられている。
【００７２】
上階ブラケットは、下階ブラケットに相対する位置に取り付けることができる。
そして、この下階ブラケットと上階ブラケットの少なくとも何れかにタイト材が取り付けられている。
このように、この下階ブラケットと上階ブラケットとが、外壁材の凹凸と関係なく、相対する位置に取り付けることができ、このどちからにタイト材が取り付けられているので、この下階ブラケットと上階ブラケットとで確実にタイト材を押圧できる。
【００７３】
このような構造になっているので、上階の外壁パネルの屋外面に降り注いだ雨水は上階ブラケットからタイト材、外壁材に取り付けられている下階ブラケットを経て下階の外壁パネルの屋外面に流れて行き、屋内側に入らないので安心である。
【００７４】
請求項２記載の発明では、下階の外壁パネルは、フレームと、表面の上側縁の所定位置に底面がフレームから所定距離にある凹部が設けられた外壁材とからなるし、下階ブラケットは、ブラケット本体とこのブラケット本体の裏面に設けられた所定高さの突起とからなるから、下階ブラケットはフレームからフレームから外壁材の凹部の底面までの距離とブラケットの突起の高さを加えた距離に、即ち、所定距離の位置に取り付けられる。
【００７５】
上階ブラケットは、下階ブラケットに相対する位置に取り付けることができる。
そして、この下階ブラケットと上階ブラケットの少なくとも何れかにタイト材を取り付けている。
従って、外壁材の凹凸と関係なく、施工現場で、下階の建物ユニットを据え付け、この下階の建物ユニットの上に上階の建物ユニットを、下階ブラケットと上階ブラケットでタイト材を確実に押圧させながら据え付けることができる。
【００７６】
このようにして据え付けると、上階の外壁パネルの屋外面に降り注いだ雨水は上階ブラケットからタイト材、外壁材に取り付けられている下階ブラケットを経て下階の外壁パネルの屋外面に流れて行き、屋内側に入らないので安心である。
【００７７】
請求項３記載の発明では、下階の外壁パネルは、フレームと、このフレームの上側縁が顕れる状態に取り付けられた外壁材とからなり、下階ブラケットは、屋内側にフレームの顕れている部分に当接されるフレーム当接面を有する長尺体であるから、下階ブラケットはフレームに、即ち、フレームからほぼ０ｍｍの距離の所定距離の位置に取り付けられる。
【００７８】
上階ブラケットを、下階ブラケットに相対する位置に取り付けることができる。
このように、この下階ブラケットと上階ブラケットとが、外壁材の凹凸と関係なく、相対する位置になっているので、この下階ブラケットと上階ブラケットとで確実にタイト材を押圧できる。
【００７９】
このような構造になっているので、上階の外壁パネルの屋外面に降り注いだ雨水は上階ブラケットからタイト材、外壁材に取り付けられている下階ブラケットを経て下階の外壁パネルの屋外面に流れて行き、屋内側に入らない。
【００８０】
請求項４記載の発明では、下階外壁パネルはフレームとこのフレームの上側縁が顕れる状態に取り付けられた外壁材となるから、下階ブラケットは下階の外壁パネルのフレームに、即ち、フレームからほぼ０ｍｍの所定距離に取り付けられている。
上階ブラケットを下階のブラケットに相対する位置に取り付けることができる。
【００８１】
そして、この下階ブラケットと上階ブラケットの少なくともいずれかにタイト材を取り付けている。
従って、外壁材の凹凸に関係なく、施工現場で、下階の建物ユニットを据え付け、この下階の建物ユニットの上に上階の建物ユニットを、フレームから所定距離の位置に取り付けられている下階ブラケットと上階ブラケットでタイト材を確実に押圧させながら据え付けることができる。
【００８２】
このようにして据え付けると、上階の外壁パネルの屋外面に降り注いだ雨水は上階ブラケットからタイト材、外壁材に取り付けられている下階ブラケットを経て下階の外壁パネルの屋外面に流れて行き、屋内側に入らないので安心である。
【図面の簡単な説明】
【図１】本発明の一実施例を示すもので、（イ）はユニット建物を示す説明図、（ロ）は（イ）のＡ−Ａ線における断面図であま。
【図２】建物ユニットの骨格を示す説明図である。
【図３】（イ）はタイト材付き中央部の外壁パネルに水切り取付具を取り付けた状態を示す正面図、（ロ）は（イ）の側面図である。
【図４】（イ）は中央部の外壁パネルの正面図、（ロ）は（イ）の裏面図、（ハ）は（イ）のＢ−Ｂ線における断面図である。
【図５】（イ）は連結部の外壁パネルの正面図、（ロ）は（イ）の裏面図、（ハ）は（イ）のＣ−Ｃ線における断面図である。
【図６】本発明の他の実施例を示すもので、ユニット建物の２階の建物ユニットと１階の建物ユニットの連結部の断面図である。
【図７】本発明の別の実施例を示すもので、ユニット建物の２階の建物ユニットと１階の建物ユニットの連結部の断面図である。
【図８】（イ）は中央部の１階の外壁パネルの正面図、（ロ）は（イ）の側面図、（ハ）は（イ）のＤ−Ｄ線における断面図である。
【図９】本発明の更に別の実施例を示すもので、ユニット建物の２階の建物ユニットと１階の建物ユニットの連結部の断面図である。
【符号の説明】
１                      ユニット建物
２                      建物ユニット
３                      屋根パネル
４、４ｂ                外壁パネル
４１、４１ｂ            フレーム
４２、４２ｂ            外壁材
４３                    凹部
５                      上階ブラケット
６                      下階ブラケット
６１                    ブラケット本体
６２                    突起
７                      タイト材
【図１】
0003802671.tif 000002
【図２】
0003802671.tif 000003
【図３】
0003802671.tif 000004
【図４】
0003802671.tif 000005
【図５】
0003802671.tif 000006
【図６】
0003802671.tif 000007
【図７】
0003802671.tif 000008
【図８】
0003802671.tif 000009
【図９】
0003802671.tif 000010